Podtech/llm-jp-corpus-v4-ja_patent huggingface dataset:
(57)【要約】【課題】粉体の状態で保存できるので、常温での保存性に優れ、食する時に、熱湯を注いで捏ねるだけで、搗きたてと同様の食感で、柔らかく伸びのある餅が得られる餅粉の製造方法を提供するものである。【解決手段】餅米を水に浸してから蒸した後、蒸した餅米を搗いてから、平板状にしてやや乾燥させた後、所定の大きさに切断し、次いでこれを冷凍庫で凍結してから乾燥させるか、または自然乾燥させた後、この乾燥させた固形の餅を粉砕して製粉する工程からなり、この餅粉２を食する時に熱湯４を注いで捏ねることにより搗たてと同様の食感の餅６となる。【選択図】  図１
2009213394.tif 000002
【特許請求の範囲】
【請求項１】
餅米を水に浸してから蒸した後、蒸した餅米を搗いてから、平板状にしてやや乾燥させた後、所定の大きさに切断し、次いでこれを冷凍庫で凍結してから乾燥させるか、または自然乾燥させた後、この乾燥させた固形の餅を粉砕して製粉する工程からなり、この餅粉を食する時に熱湯を注いで捏ねることにより搗たてと同様の食感の餅となることを特徴とする餅粉の製造方法。
【請求項２】
製粉した餅粉を、篩目が８０目以上の細かい篩で篩い分けすることを特徴とする請求項１記載の餅粉の製造方法。
【発明の詳細な説明】
【技術分野】
【０００１】
本発明は、熱湯を注ぐだけで餅になる餅粉の製造方法に関するものである。
【背景技術】
【０００２】
従来、餅を保存する方法としては、水に浸しておく水餅や、搗きたての餅を冷凍保存して、食する時に解凍する方法（特許文献１）がある。しかしながら水餅にする方法は、柔らかくなり過ぎて餅本来の食感が乏しく、また冷凍保存する方法では、冷凍庫の保存容積に限りがあることから、大量に保存できない問題があった。
【特許文献１】特開平９−１４０３４２
【発明の開示】
【発明が解決しようとする課題】
【０００３】
本発明は上記問題を改善し、粉体の状態で保存できるので、常温での保存性に優れ、食する時に、熱湯を注いで捏ねるだけで、搗きたてと同様の食感で、柔らかく伸びのある餅が得られる餅粉の製造方法を提供するものである。
【課題を解決するための手段】
【０００４】
本発明の請求項１記載の餅粉の製造方法は、餅米を水に浸してから蒸した後、蒸した餅米を搗いてから、平板状にしてやや乾燥させた後、所定の大きさに切断し、次いでこれを冷凍庫で凍結してから乾燥させるか、または自然乾燥させた後、この乾燥させた固形の餅を粉砕して製粉する工程からなり、この餅粉を食する時に熱湯を注いで捏ねることにより搗たてと同様の食感の餅となることを特徴とするものである。
【０００５】
更に詳細に説明すると、精米した餅米を１５〜２０時間水に浸し、水分を十分に吸収させる。この後、セイロで蒸かしてから、臼に入れて杵で搗くか、または自動餅搗き器で搗く。次に搗きたての柔らかい餅を平板状に成形し、包丁で切れるようにやや硬くなるまで乾燥させてから所定の大きさに切断する。
【０００６】
この切断した餅を紐で編んで一連にして、冷凍庫に入れて冷凍した後、屋外の風通しの良い場所に吊して自然乾燥させる。または紐で編んで一連にしたものを、寒中に屋外の風通しの良い場所に吊して自然凍結乾燥させるか、もしくは屋外で天日干しにより自然乾燥させる。天日干しで自然乾燥させてから粉砕して製粉した餅粉は、やや硬くなり、熱湯を注いで捏ねて餅にする時にやや時間が掛かる。次に、このように乾燥させて硬くなった餅を製粉する。この製粉した餅粉は、篩目が８０目以上の細かい篩で篩い分けして、粒度を調整すると、熱湯を注いで捏ねた時に、搗きたてと同様の食感で、柔らかく伸びのある餅が得られる。
【０００７】
本発明の請求項２記載の餅粉の製造方法によれば、請求項１において、製粉した餅粉を、篩目が８０目以上の細かい篩で篩い分けすることを特徴とするものである。
【発明の効果】
【０００８】
本発明に係る請求項１記載の餅粉の製造方法によれば、蒸した餅米を搗いてから、これを凍結乾燥または自然乾燥させた後、この乾燥させた固形の餅を粉砕して製粉し、粉体の状態で保存できるので、常温での長期保存が可能である。餅粉を食する時には、餅粉を器に入れ、ここに熱湯を少しずつ注ぎながら捏ねるだけで、搗きたてと同様の食感で、柔らかく伸びのある餅が得られる。
【０００９】
また請求項２記載の餅粉の製造方法によれば、製粉した餅粉を、篩目が８０目以上の細かい篩で篩い分けすることにより、搗きたてと同様の柔らかく伸びのある餅が得られる。
【発明を実施するための最良の形態】
【００１０】
以下本発明の実施の一形態を詳細に説明する。先ず、餅米の玄米６０Ｋｇを精米して、得られた５２Ｋｇの餅米を２０時間水に浸し、水分を十分に吸収させる。この後、セイロで蒸かしてから、臼に入れて杵で搗く。この時、手水を使うので餅が柔らかくなる。この搗きたての柔らかい餅を、型箱に入れて平板状に成形し、包丁で切れるようにやや硬くなるまで４８時間経過してから縦９ｃｍ、横６ｃｍ、厚さ１．２ｃｍに切断した。
【００１１】
この切断した餅を紐で編んで８個一連に吊した。これを冷凍庫に入れて−３０℃で１５時間冷凍した後、屋外の風通しの良い場所に吊した、この状態で３カ月乾燥させた。この後、乾燥した餅を密閉した木箱に保存した。６カ月保存した餅を木箱から取り出して、製粉機で粉砕して餅粉を製粉した。この餅粉を篩目が８０目（１５ｃｍの間を８０に分割した間隔）の篩で篩い分けして製品とした。
【００１２】
これを食する時には、図１（Ａ）に示すように、包装袋１に入れた５００ｇの餅粉２を器３に入れる。次に図１（Ｂ）に示すように同量の５００ｇの熱湯４を少しずつ注ぎながら図１（Ｃ）に示すように、攪拌棒５で十分に捏ねる。このように熱湯４を加えながら捏ねると図１（Ｄ）に示すように、搗きたてと同様の食感で、柔らかく伸びのある餅６が得られる。この餅６にきな粉やあんこ、納豆などをからめ好みに合わせて食べるか、雑煮として食べる。
【図面の簡単な説明】
【００１３】
【図１】（Ａ）は、本発明の実施の一形態による包装袋に入れた餅粉を器に入れている状態を示す斜視図、（Ｂ）は餅粉に熱湯を注いでいる状態を示す斜視図、（Ｃ）は攪拌棒で餅粉を捏ねている状態を示す斜視図、（Ｄ）は餅を箸でつまみ上げている状態を示す斜視図である。
【符号の説明】
【００１４】
１  包装袋                                                  
２  餅粉                                                    
３  器                                                      
４  熱湯                                                    
５  攪拌棒                                                  
６  餅                                                      
【図１】
2009213394.tif 000003
(57)【要約】【課題】  本発明は、湯葉の全く新しい用途を開発することを目的とした。【解決手段】  湯葉を積層した後、焼成することによりパイ様菓子を得ることができる。湯葉は、高油分（湯葉固形分に対し４０〜７２重量％）のものを用いると、パイ同様の食感良好なものが得られる。また、高蛋白で健康イメージの良いものである。【選択図】なし【特許請求の範囲】
【請求項１】
湯葉を積層した後、焼成することを特徴とする高蛋白パイ様菓子の製造方法。
【請求項２】
湯葉の油分が湯葉固形分に対し４０〜７２重量％である請求項１に記載の製造方法。
【発明の詳細な説明】
【技術分野】
【０００１】
本発明は、蛋白含有量が高くパイ菓子に似た形状、食感を有するパイ様菓子の製造方法に関する。
【背景技術】
【０００２】
湯葉は、加熱した豆乳の表面にできる皮膜をすくいあげて作るわが国の伝統的なシート状の大豆加工食品である。湯葉は、そのまま刺身のように食される他、「湯葉包み」のように種々の食材を包む用途、「湯葉巻き」のように湯葉自体を巻いて用いる用途、あるいは「湯葉入り豆腐」のように刻んで他の食材の中に入れるなど、多様な用途があり、伝統的な日本料理に欠くことのできないものである。
近年では、湯葉の用途が広がり、菓子の素材として用いる例も見られ、例えば、特許文献１（特開2002-017265）は、中華餅菓子の製造においてシートとして用いることを開示する。特許文献２（特開 2007-167038）は、包餡食品用内材を湯葉で包むことを開示する。しかし、いずれも湯葉の可食性シートとしての機能に着目したものであり、湯葉自体を主体とした菓子の用途を具体的に開示したものは殆ど見当たらない。
【０００３】
【特許文献１】特開２００４−７３１１０号公報
【特許文献２】特開２００１−５７８６０号公報
【発明の開示】
【発明が解決しようとする課題】
【０００４】
本発明は、湯葉の全く新しい用途を開発することを目的とした。
【０００５】
ところで、本発明者等は、一番湯葉と同等以上の食感を有する湯葉を研究し、油分の高い湯葉（湯葉固形分に対する油脂分が４０〜７２重量％であることを特徴とする生湯葉）および、その製造方法に関する発明を完成させ、先に出願している（特許出願 2007-324710）。
本発明者等は、この湯葉の用途を研究する過程において、当該湯葉を積層しオーブン等で焼成すると、意外にもパイのように浮き、形状・食感がパイに似た全く新規な菓子が得られるとの知見を得、鋭意研究の結果、本発明を完成するに至った。
【０００６】
すなわち本発明は、（１）としては、湯葉を積層した後、焼成することを特徴とする高蛋白パイ様菓子の製造方法であり、（２）としては湯葉の油分が湯葉固形分に対し４０〜７２重量％である（１）に記載の製造方法であることを骨子とする。
【発明の効果】
【０００７】
本発明の方法、すなわち、湯葉を積層した後、焼成することによりパイ様菓子を得ることができる。湯葉は、高油分（湯葉固形分に対し４０〜７２重量％）のものを用いると、パイ同様の食感良好なものが得られ、また高蛋白で健康イメージの良いものである利点がある。
【発明を実施するための最良の形態】
【０００８】
湯葉は、生湯葉を用いる。乾燥湯葉を用いる場合は、水戻しする。冷凍湯葉を用いる場合は、予め解凍して用いる。湯葉の油分は、特に限定するものではないが、油分はパイの浮きに関係し、多い程浮きが良い。一般的な湯葉の油分は３０重量％程度であるが、本願出願人が先に完成させた湯葉（豆乳に油脂を添加して調製した豆乳乳化物を湯葉の原料としたもので、湯葉固形分に対する油脂分が４０〜７２重量％である）を用いると浮きがよく、ボリュームがあり、食感もパイのように軽いものを得ることができる。
【０００９】
湯葉は、適当な大きさに裁断し複数枚積層する。積層数は、多い程特徴のあるものとなる。５〜３０層程度が好ましい。湯葉を引き上げる際に、豆乳表面に生成した湯葉を中央部を竹串などを用いて引き上げて製造した湯葉は２枚が重なり一体化しているが、これは１枚と考える。
【００１０】
次に、積層した湯葉をオーブントースターを用いる等、公知の方法により焼成する。
【００１１】
焼成により、湯葉の各層が緩やかに結着した状態で各層間が膨化し、また、湯葉の各層も膨化して、全くパイ同様の形状になる。焼成を十分に行うことにより、食感もパイと同様、サクっとしたものが得られる。なお、焼成の程度を抑えた場合は、しっとりした食感のものが得られる。得られたパイ様菓子は、全く新規なものであり、風味良好で蛋白質に富む健康イメージの良いものである。
【実施例】
【００１２】
以下に本発明の実施例を示す。なお、例中、％及び部は、いずれも重量基準を意味する。
（実施例１）
湯葉固形分に対する油分５０％の湯葉（湯葉中央部を引き上げ２枚が一体化したもの）を２０枚積層し、３ｃｍ×３ｃｍにカットした。焼成前の厚みは４ｍｍであった。これを、６００Ｗのオーブントースターで約６分加熱した結果、厚みは２０ｍｍまでもちあがった。尚、油分５０％の湯葉は、特許出願 2007-324710に記載の発明にもとづいて製造したものを用いた。外見はパイと同様であったが、中心部はしっとりしており、クラスタが崩れる食感ではなかったが食べやすいものであった。
【００１３】
（実施例２）
湯葉固形分に対する油分３０％の湯葉（湯葉中央部を引き上げ２枚が一体化したもの）を１０枚積層し、３ｃｍ×３ｃｍにカットした。焼成前の厚みは４ｍｍであった。これを、６００Ｗのオーブントースターで約６分加熱した結果、１２ｍｍまでもちあがった。外観はパイと同様であった。実施例１に比べボリューム感は劣るが食感は実施例１と大差無かった。
【００１４】
（実施例３）
焼成時間を２５分とした他は、実施例１と同様にした。得られたパイ様菓子の膨化度は実施例１と同程度であったが、パイと同様、クラスタが崩れ、パリパリ、サクッとした食感であった。
以上のようにして得られたパイ様菓子は、高蛋白で健康イメージの良いものである。
(57)【要約】【課題】発信側が携帯電話機及び固定電話機、インターネット電話機を利用して発信した際に発生する、受信側の電話から聞こえる呼出音と同時に音声や音楽を用いた広告を発信側に聞かせるとともに、発信側及び受信側の通信料の一部を広告料から還元する為の技術を提供すること。【解決手段】受信側が予めサービスの申込みを行ない、発信側が携帯電話機及び固定電話機、インターネット電話機を利用して発信し、予め登録された広告の中からランダムに広告を取出して配信し、発信側と受信側の通信回線を確立させて、配信された広告と回数を広告主あるいは広告ごとに記録し、配信された広告の回数に応じて課金するべき金額を広告主ごとに算出し広告主ごとの広告料金を記録し、配信された広告の回数に応じて発信側及び受信側への通信料還元額を計算する。【選択図】図１
2009213100.tif 000002
【特許請求の範囲】
【請求項１】
発信側が携帯電話機及び固定電話機、インターネット電話機を利用して発信した際に発生する、受信側の電話から聞こえる呼出音と同時に音声や音楽を用いた広告を発信側に聞かせるとともに、発信側の通信料の一部を広告料から還元することを特徴とする呼出音広告システム。
【請求項２】
前述呼出音広告システムは、受信側がこの呼出音広告システムを利用するための申込みを受付ける装置と、発信側が発信した回数を記録する装置と、広告配信回数を記録する装置と、広告主への課金を記録する装置と、発信側及び受信側への通信料の還元額を計算する装置とを含んで構成されていることを特徴とする。
【発明の詳細な説明】
【技術分野】
【０００１】この発明は、電話発信時の発信側に対する呼出音と同時に広告を配信する呼出音広告システムに関する。
【背景技術】
【０００２】携帯電話機などの普及により、過去と比較して通信料の支出が増加している。中には子供にも携帯電話機を持たせる家庭もあり、そして携帯電話機本体も高額となり家庭や企業における電話機の通信料は増加している。広告主にとっても宣伝広告が雑多に存在し消費者に確実に届く効果的な広告を配信する事は非常に難しい。
【発明の開示】
【発明が解決しようとする課題】
【０００３】本発明は、それらに存在する問題点を解決するためのものであり、消費者の通信料の一部を広告主が負担し、広告主は確実に消費者に届く広告を配信する事が出来る呼出音広告システムを提供することを課題とする。
【課題を解決するための手段】
【０００４】前記問題点を解決するために、本発明の呼出音広告システムは、受信側が予めサービスの申込みを行ない、発信側が携帯電話機及び固定電話機、インターネット電話機を利用して、サービスの申込みを行なった受信側に対して発信した際に発生する、受信側の電話から聞こえる呼出音と同時に音声や音楽を用いた広告を発信側に聞かせるとともに、発信側及び受信側の通信料の一部を広告料から還元することを特徴とする呼出音広告システムである。【０００５】また、本発明の呼出音広告システムは、受信側がこの呼出音広告システムを利用するための申込みを受付けるサービス導入装置と、発信側が発信した回数を記録する発信履歴記録装置と、広告配信回数を記録する広告配信履歴記録装置と、広告主への課金を記録する広告課金装置と、発信側及び受信側への通信料の還元額を計算する還元額計算装置とを含んで構成されている。サービス導入装置は、番号入力手段を有している。番号入力手段はサービスを導入する電話機番号を入力する手段である。発信履歴記録装置は、検出手段、広告取出し配信手段、通信手段を有している。検出手段は受信側が本発明の呼出音広告システムを導入しているかを検出する手段である。
広告取出し配信手段は検出手段によって呼出音広告システムを使用すると検出された場合、予め登録された広告の中からランダムに広告を取出し配信する手段である。通信手段は発信側と受信側の通信回線を確立させる通信手段である。広告配信履歴記録装置は、広告配信履歴記録手段を有している。広告配信履歴記録手段は配信された広告と回数を広告主あるいは広告ごとに記録する手段である。広告課金装置は、広告料金算出手段、広告料金記録手段を有している。広告料金算出手段は配信された広告の回数に応じて課金するべき金額を広告主ごとに算出する手段である。広告料金記録手段は広告料金算出手段により算出された広告主ごとの広告料金を記録する手段である。還元額計算装置は、発信側還元額計算手段、受信側還元額計算手段を有している。発信側還元額計算手段は本発明の呼出音広告システムを利用している受信側への発信回数に応じて通信料の還元額を計算する手段である。受信側還元額計算手段は本発明の呼出音広告システムを利用している受信側への着信回数に応じて通信料の還元額を計算する手段である。
【発明の効果】
【０００６】本発明の呼出音広告システムによれば、音声や音楽を用いた広告を発信側に聞かせ発信側及び受信側の通信料の一部を広告料から負担する事で経済的負担や経費を抑える効果がある。また広告主は確実に消費者に届く広告を配信する事が出来る。
【図面の簡単な説明】
【０００７】
【図１】本発明の実施の形態例に係る呼出音広告システムの動作を示すフロー図である
【図２】サービス導入装置、発信履歴記録装置、広告配信履歴記録装置、広告課金装置、還元額計算装置で構成される処理を示すフロー図である
【符号の説明】
【０００８】［図１］
１    発信側
２    広告主
３    発信側
４    呼出音広告システム
５    広告提供
６    発信側からの発信
７    受信側を呼出
８    発信側に広告を配信
９    受信側が通話開始
１０    発信側が通話開始
［図２］
１０１    発信側
１０２    広告主
１０３    受信側
１０４    データベース
２０１    サービス導入装置
２０２    番号入力手段
３０１    発信履歴記録装置
３０２    検出手段
３０３    広告取出し配信手段
３０４    通信手段
４０１    広告配信履歴記録装置
４０２    広告配信履歴記録手段
５０１    還元額計算装置
５０２    発信側還元額計算手段
５０３    受信側還元額計算手段
６０１    広告課金装置
６０２    広告料金算出手段
６０３    広告料金記録手段
００１    データベースにサービス導入者の情報を入力
００２    広告主からの広告データ・情報を入力
００３    発信側からの発信
００４    サービス導入者か否かの問い合わせ
００５    広告の取り出しと配信
００６    配信した情報を記録
００７    通信開始
００８    配信した情報を還元額計算装置へ伝達
００９    配信した情報を広告課金装置へ伝達
０１０    広告料金の請求
０１１    発信側へ還元額通知
０１２    受信側へ還元額通知
【図１】
2009213100.tif 000003
【図２】
2009213100.tif 000004
(57)【要約】      （修正有）【課題】大量にケースに入れる事が出来て紙の量が少なくなっても取り出し易い、また、持ち運びし易いテイシュペーパーケースを提供する。【解決手段】ケースの上部を開口部にして、取出し口を設けた蓋を落とし蓋の様にケースの内側を上下移動することより、常にペーパーのすぐ上に取出し口がある構造、また、テイシュペーパーを衛生的にする為、ゴミやほこりがつかない様本体の上部に開閉蓋を設けた構造のテイシュペーパーケースを提供する。【選択図】図１
2009213854.tif 000002
【特許請求の範囲】
【請求項１】
テイッシュペーパーケース本体の上部を無くし開口部とし、ペーパー取出し口を設けた蓋がケースの内側を上下に移動して常にペーパーのすぐ上に蓋がある様にしたテイシュペーパーケースで中に入っているペーパーの量に関係なく取出し易く、又補充しやすくしたテイッシュペーパーケース。
【請求項２】
請求項１のテイッシュペーパーケースが大型化・重量化になっても持運びしやすくする為にケース本体に取っ手を設け、移動しやすくしたテイッシュペーパーケース。
【請求項３】
請求項１・２のケースを衛生的にする為にケース本体の上部に蓋を設け、ゴミやほこりが入らない様にしたテイッシュペーパーケース。
【発明の詳細な説明】
【技術分野】
【０００１】テイシュペーパーケース
【背景技術】
【０００２】現在のテイッシュペーパーは小量しか入っていないのですぐに無くなり、又大箱になると下のペーバーが取出しにくくなる。【０００３】
【特許文献１】名称  テイッシュ式トイレットペーパーボックス  特許出願番号  ２００７−２６２７１６
【０００４】
【非特許文献１】２００７  東京発明展  参考出品
【発明の開示】
【発明が解決しようとする課題】
【０００５】・大量に使えないか
・少なくなっても取出し易くならないか
・好みの化粧ケースは使えないか
・補充が簡単に出来ないか
・大型化・重量化しても持運びしやすい物
・空き箱等のゴミを少なくできないか
【発明が解決しようとする手段】
【０００６】テイッシュペーパーケースの上部を開口部にして、取出し口を設けた蓋を落とし蓋の様にケースの内側を上下移動することにより常にペーパーのすぐ上に取出し口がある構造。
【０００７】ケースの材質としては紙・布・木・植物・陶器・プラスチック・ゴム・皮・ガラス・石・金属・粘土・パン等、大型化・重量化しても持運びが楽になるようにケース本体に取っ手を設けた構造。
【０００８】テイシュペーパーを衛生的にする為、ゴミやほこりが付かない様本体の上部に開閉蓋を設けた構造のテイシュペーパーケース。
【発明の効果】
【０００９】・好みの材質・デザインの化粧ケースが作れます。
・一度に大量にケースに入れる事が出来、大変使い易いです。
・ペーパーが少なくなっても最後まで取出し易いです。
・取っ手がついているので、大きく重たくなっても持運びが楽です。
・空箱が無くなりゴミが少なくなります。
・本体の上部に開閉蓋を設ければゴミやほこりがつきません。
【図面の簡単な説明】
【図１】透視斜面図
【図２】斜面図
【図３】斜面図
【図１】
2009213854.tif 000003
【図２】
2009213854.tif 000004
【図３】
2009213854.tif 000005
(57)【要約】【課題】自動車犯罪は車内に誰もいない時に多く起き、運転手一人のときも狙われ易いので助手席や後席にいつでも人が座っていれば少しでも犯罪を阻止できるクッションを提供する。【解決手段】人の上半身に似せたクッション図１を組み立て図２とし自動車シート背もたれに取り付けることにより、車外から見た場合に人が乗っているように見えることを特徴とする。【選択図】図１
2009213851.tif 000002
【特許請求の範囲】
【請求項１】
自動車犯罪防止に人の上半身を作るを目的に、ウレタンや綿などが入ったクッションの裏面に人の顔を作り、クッションを半分に折曲げることによりリアルな顔になり又帽子やメガネを着脱できるようにした。
【請求項２】
前記のクッションの顔を布のみで製作することによりミシン縫製技術のみで安価で簡単に目、鼻、口を作り又表情を変えることもでき顔の色や周囲の色も手軽に変えられ。
【発明の詳細な説明】
【技術分野】
【０００１】この発明は、自動車運転手以外にも乗客が居るかのような装置。
【背景技術】
【０００２】従来はビニール人形のようなものが考えれます。
【発明の開示】
【発明が解決しようとする課題】
【０００３】車内に常時人形があれば邪魔になります。
そこでこの発明は、クッションを使い車内で簡単に組み立て、人の上半身の顔をリアルな表情にしてシート背もたれに固定する。
使用後元の用途に戻すことを課題とする。
【課題を解決するための手段】
【０００４】以上の課題を解決するためにクッションの表側は通常のままで、クッション裏面（１）に布で顔（２）の形をつくり、目・口の部分は布裏側を数ミリつまんで直線又は半月状に縫うことにより表情を変えることができ、鼻は盛り上げるために鼻（３）の裏側に鼻より少し大きめの布を縫いつけるが、鼻部分の表布側に少し幅に余裕を持たせ裏布側を縦方向に鼻の幅で２箇所、その下横に小さく１箇所縫うことで鼻に似せることができる。
又メガネのつるが入るよう顔の両側に隙間（４）を作る。
クッションの中央を折曲げてとめ具（５）で固定して上半身とした状態でメガネや帽子を着脱することができ、とめ具（６）でシート背もたれに固定する。
【発明の効果】
【０００５】車の外から眺めた場合、フロント席又は後部席に帽子を被ったりメガネをかけた人が乗っているように見えるので犯行を防止するのに役立つ。
使用後とめ具を解きメガネ、帽子を取れば通常のクッションとなる。
【発明を実施するための最良の形態】
【０００６】以下、本発明を実施するための最良の形態について説明する。
顔に似せたクッション裏面（１）を表にして半分に折曲げて、とめ具（５）で上部後ろ側で固定することによりクッションの反発力でスソ広がりの上半身になる。
クッションに帽子をかぶせてメガネのつるを隙間（４）にさし込みをことでリアルな顔となる。とめ具（６）でシート背もたれに固定する。
【実施形態の効果】
【０００７】自動車内部に運転手以外に人が乗っていると確認できると犯罪を犯そうとする者に対して抑止力が働く。
【図面の簡単な説明】
【０００８】
【図１】この発明の斜視図である。
【図２】本発明の組み立てた斜視図である。
【符号の説明】
【０００９】１  クッション裏面
２  顔
３  鼻
４  メガネのつるを挿入する隙間
５  クッション折り曲げのとめ具
６  シートに固定するとめ具
【図１】
2009213851.tif 000003
【図２】
2009213851.tif 000004
(57)【要約】      （修正有）【課題】常に清潔で健康的な安全マスクを提供する。【解決手段】紫の可視光線と不可視光線の近紫外線を透過する呼吸気系の鼻や口を覆うものを外側布とし、内側には紫外線の波長が直接肌に届かないように紫外線を透過しない取替布を配置し、殺菌作用のある、紫の可視光線と不可視光線の近紫外線の働きにより、衛生ガーゼ布の表面は常に殺菌され、清潔で健康な空気を供給する事を特徴とした、「紫の可視光線と不可視光線の近紫外線を透過する安全マスク」。【選択図】図１
2009213853.tif 000002
【特許請求の範囲】
【請求項１】
殺菌作用のある、紫の可視光線と不可視光線の近紫外線の働きにより、常に清潔で健康的な空気を供給することを特徴とした「紫の可視光線と不可視光線の近紫外線を透過する安全マスク」。
【発明の詳細な説明】
【技術分野】本発明はウイルス等による風邪や他の病気を予防するために使用するマスクに関するものであり以下にわたって説明する。まず自然界においては明るいところであれば７色の光と、赤の外側には不可視光線の赤外線並びに紫外線が存在している。赤の外側は赤外線であり赤外線は波長が長く、人体に透過させれば波長が浸透して血流の流れを活発にして、あらゆる病気の治療並びに予防に用いられている。もう一方の反対側の紫の外側に紫外線が存在しており、その紫外線は強力な殺菌作用がある。紫色又は紫を透かして見えるように透明にして光を透過させれば、そこから出てくる光線は紫の可視光線並びに不可視光線の近紫外線となる。紫外線は強力な殺菌作用がある利点はあるが、長時間浴びると殺菌する性質があるから害になるといわれている、そこで本発明者はその紫外線の強力な殺菌作用に着目をした、すなわち紫の可視光線と不可視光線の近紫外線を透過するマスクで呼吸気系の鼻や口を覆うものを１次側（外側）とすれば、内側に（２次側）は図（４）の取替え布は紫外線の波長が直接肌に届かないように、やや厚みのある布、あるいは紫外線が中和する色彩の布を用えれば、（４）の衛生ガーゼ布の表面は常に殺菌されているから清潔で健康的な空気を常時鼻から呼吸することになり、ウイルスによる風邪や他の原因不明の病気を予防並びに飛散することを防ぐことを特徴とした「紫の可視光線と不可視光線の近紫外線を透過する安全マスク」であります。
【図面の簡単な説明】
【図１】は「紫の可視光線と不可視光線の近紫外線を透過するマスク」の側面図。
【図２】は「紫の可視光線と不可視光線の近紫外線を透過する安全マスク」を使用していることを示す斜視図。
【符号の説明】
（１）は紫の可視光線と不可視光線の近外線を透過するマスク（２）は紫の可視光線と不可視光線の近紫外線（３）自然界の光線（４）取替え用衛生ガーゼ布
【図１】
2009213853.tif 000003
【図２】
2009213853.tif 000004
(57)【要約】【課題】  毛染め、パーマ、トリートメントの施術時に、液が首や耳、衣服につかないように、後ろ首筋から耳を安定して覆い、もみ上げ部分の施術も行うことができるケープを提供する。【解決手段】  交差した長さ調節可能な紐により、うなじにケープを固定し、後ろ首筋から耳を覆う毛染め用ケープ。【選択図】図１
2009213855.tif 000002
【特許請求の範囲】
【請求項１】
交差した長さ調節可能な紐により、うなじにケープを固定し、後ろ首筋から耳を安定して覆う毛染め用ケープ。
【発明の詳細な説明】
【技術分野】
【０００１】  この発明は、毛染めやパーマ、トリートメントの施術時にうなじや後ろ首筋、耳を覆い、染液等の付着を防ぐケープに関するものである。
【背景技術】
【０００２】  ▲１▼従来は、毛染め用ケープは首から肩を覆うもの
▲２▼耳を覆うようにケープをうなじから耳の上部にかぶせる形の物
特開  ２００２−０１７４２９
特開  ２００６−２５５２６６
があった。
【発明の開示】
【発明が解決しようとする課題】
【０００３】  これらには次のような欠点があった。
（イ）▲１▼の、ケープでは、首筋や耳を覆うことが無いため、首筋や耳への液の付着を防ぐためには別にタオルや耳キャップを使用する必要があった。
（ロ）▲２▼の、ケープをうなじから耳の上部に掛けて首筋や耳を覆うものは、うなじから生え際に沿って耳の上を通る部分がずれやすく、固定することができないため、液が首筋へ付着する心配があった。
（ハ）もみあげ部分への施術では、耳を覆うがもみ上げは露出する必要がある。その為にはケープの位置を容易に変える事ができる必要がある。
本発明は、これらの問題点を解決し、施術が一人でも簡単にできるためになされたものである。
【課題を解決するための手段】
【０００４】  ケープに顔面から耳の上部を通り、後ろ首筋生え際に沿ってうなじ生え際で交差する長さ調節可能な紐を通し、この紐は首まわりに沿って前で結ぶ。
【発明の効果】
【０００５】  本発明を使用することによって、
交差させた紐により、うなじへの固定する部分が形成され、又、紐の簡単な長さ調整が可能になり、もみ上げへの施術も可能になり、又、うなじから後頭部生え際にそって耳までにケープを安定して装着し覆うことができる。これにより、耳や首筋に液が付着することを防ぐ効果が増し、一人でも楽に施術ができるようになるという効果が得られ、課題を解決する。
【発明を実施するための最良の形態】
【０００６】  図１に示すように、ケープ本体（１）に交差する紐（２）を通す。
図２に示すように、紐（２）は交差して、うなじに固定する部分（３）となる。紐は自然に生え際に沿えるように伸縮性のある素材が望ましい。
図３及び図４に示すように、ケープ本体（１）は顔面から耳の上を通り、後ろ首筋生え際に沿ってうなじ生え際で交差する紐（２）によって耳や首筋を覆う。
交差した紐は首まわりに沿って前にまわし、適当な長さ及び張り具合で結ぶ。
ケープは紐（２）が通ったカーテン状であり、視界を遮らないように顔部分の開きを調節することができる。
また、図５に示すように耳を覆うケープの紐の引き具合で長さを調節し、あごの位置に下げることも可能なので、もみ上げ部分の施術も簡単にできる。
また、図６に示すように紐の両端はストッパーなどの器具で輪にしてもよい。
また、図７及び図８に示すように施術後はケープを上にたくし上げてまとめることにより、ヘアキャップの用途を兼ねることができる。この場合も、紐によりヘアキャップがうなじ部分に固定しているため、髪がはみ出す心配が無い。
本発明は以上の構成より成る。
本発明を使用する時は、ケープの紐（２）を額あるいはあごから耳の上を通り後ろ首筋に沿わせ、うなじに固定する部分（３）をうなじ生え際に当て、更にこの紐を首前にまわして長さを調節し、首に固定する。ケープは後頭部生え際に沿って耳の上部にかぶさるように装着する。
【図面の簡単な説明】
【０００７】
【図１】  本発明の平面図。
【図２】  本発明の部分拡大図。
【図３】  本発明の使用状態を示す図。わかりやすいようにケープ部分を透明として作図。
【図４】  本発明の使用状態を示す図。わかりやすいようにケープ部分を透明として作図。
【図５】  本発明の使用状態を示す図。わかりやすいようにケープ部分を透明として作図。
【図６】  本発明の使用状態を示す図。わかりやすいようにケープ部分を透明として作図。
【図７】  本発明の使用状態を示す図
【図８】  本発明の使用状態を示す図
【符号の説明】
【０００８】  １  ケープ本体
２  紐
３  うなじに固定する部分
【図１】
2009213855.tif 000003
【図２】
2009213855.tif 000004
【図３】
2009213855.tif 000005
【図４】
2009213855.tif 000006
【図５】
2009213855.tif 000007
【図６】
2009213855.tif 000008
【図７】
2009213855.tif 000009
【図８】
2009213855.tif 000010
(57)【要約】【課題】洗濯時にできたしわをワイシャツやブラウスの裾や袖に重量のある洗濯ばさみを取り付けることにより伸ばす洗濯物しわ伸ばしを提供する。【解決手段】スチール、鉛等の重さのある材質で洗濯ばさみを作り、洗濯物の材質によって洗濯物の裾につける洗濯ばさみを増減する。【選択図】図１
2009213837.tif 000002
【特許請求の範囲】
【請求項１】
ワイシャツ、ブラウス等の洗濯後、干すときに裾や袖口につける洗濯ばさみ型の洗濯物しわ伸ばし。
【発明の詳細な説明】
【技術分野】
【０００１】  本発明は洗濯時にできたしわをワイシャツやブラウスの裾や袖に重量のある洗濯ばさみを取り付けることによりしわを伸ばす洗濯物しわ伸ばしに関するものである。
【背景技術】
【０００２】  従来、洗濯物のしわを伸ばして干すのは布を引っ張ったり、叩いたりと手間がかかり、ここで手を抜くとアイロンがけに手間取った。
なお、洗濯ばさみに錘をつけた水きり洗濯ばさみが知られている（特許文献１）。
【特許文献１】特許公開２００２−３５４８７号公報
【発明の開示】
【発明が解決しようとする課題】
【０００３】  （イ）洗濯時にできたワイシャツやブラウスのしわを丁寧に伸ばさずに乾かしてしまうとアイロンがけがたいへんだった。
（ロ）本品を使用する事により素材によってはノーアイロンで着用してもきちんと着ることができる。特に夏場はありがたい。
【課題を解決するための手段】
【０００４】  スチール、鉛等の重さのある材質で洗濯ばさみを作る。洗濯物の材質によって洗濯物の裾につける洗濯ばさみを増減する。
【発明の効果】
【０００５】  本発明は洗濯時にできたワイシャツやブラウスのシワを裾や袖に洗濯ばさみを取り付けるだけで簡単に伸ばす事ができる。したがってアイロンがけが非常に楽になる。素材によってはノーアイロンでもきちんと感が出るのでそのまま着られる。特にアイロンがけのたいへんな夏場にはよい。
【発明を実施するための最良の形態】
【０００６】  以下、本発明の実施の形態を説明する。
（イ）スチール、鉛等で重量のある洗濯ばさみを作る。
（ロ）洗濯ばさみをおしゃれな色でプラスチックコーティングをする。
本発明は、以上の構成によりなっている。
本発明を使用する時は、できるだけ洗濯物をゆるく絞る。ワイシャツやブラウスの裾や袖に洗濯ばさみをつける。（材質に合わせて数を増減）
【図面の簡単な説明】
【０００７】
【図１】本発明の斜視図
【図２】本発明の使用状態（継ぎ足した状態）を示す正面図
【図１】
2009213837.tif 000003
【図２】
2009213837.tif 000004
(57)【要約】      （修正有）【課題】天然素材を使用したインテリア家具の表面仕上げに従来より多用されていたラッカー塗装は引火性が強く、強度が低いという弱点があった。そこで、天然素材の強度を外観を損ねないように増加しながら加工を簡単にする方法を提供する。【解決手段】天然素材・アバカにＰＵ・ポリウレタン塗装を施す事により、上記の弱点をカバーして、天然素材の良さを損ねないように保ちながら、強度・安全性に優れたインテリア家具を実現する。【選択図】図１
2009213836.tif 000002
【特許請求の範囲】
【請求項１】
天然素材使用のインテリア家具で、製品の強度を高めるためにＰＵ・ポリウレタン塗装を施した天然素材・アバカを使用したインテリア家具。
【発明の詳細な説明】
【技術分野】
【０００１】天然素材・アバカにＰＵ・ポリウレタン加工を施した家具の生産に関する
【背景技術】
【０００２】通常、天然素材使用の家具にはラッカー塗装が一般的であった。【０００３】ラッカー塗装の弱点として引火性が強い、強度不足等の問題があったため、それらを補完する技術が研究されてきていた。
【発明の開示】
【発明が解決しようとする課題】
【０００４】天然素材の強度を外観を損ねないように増加して加工を簡単にすることが課題である。
【課題を解決するための手段】
【０００５】従来使用されてきていた塗装材料のラッカー・メラミンの使用からＰＵ・ポリウレタンに塗装材料を変更することで従来の弱点を補えるようになる。
【発明の効果】
【０００６】耐水性に優れ、引火性が下げられ、なおかつ外観が素材の風合いを損なわないでインテリア家具として使用者に抵抗がなく受け入れられる。【０００７】水分・湿気等で発生する天然素材特有の難点をカバーできる。
【実施例】
【０００８】天然素材・アバカの塗装にＰＵ・ポリウレタンを直接塗布して、素材の性質を内部に封じこめるようにする。【０００９】乾燥には時間がかかるが、高級感が得られる。【００１０】耐薬品性・耐油性は素材の表面を覆うように全体にＰＵ・ポリウレタンを塗布する。
【図面の簡単な説明】
【００１１】
【図１】本塗装方法を施された商品の一つ・テーブル
【図２】本塗装方法を施された商品の一つ・プランターベース
【図１】
2009213836.tif 000003
【図２】
2009213836.tif 000004
(57)【要約】【課題】  箸だけで使用する箸では、箸置きや箸入れ等が無い場合に箸を使用するときに、テーブルの上に直接置いたりすると箸の先端がテーブルに触れてしまい汚れたりして不衛生です。又、携帯するとき等に箸だけでは持ちにくいという不都合を解決すること。【解決手段】  箸の先端部を細く軽くして中央部を太くしたり、持ち手部分を空洞にして筒状にした。分離した箸の持ち手部６等によりこの課題を解決する。【選択図】図２
2009213838.tif 000002
【特許請求の範囲】
【請求項１】
箸をテーブルに置いたときに、先端がテーブルに触れないことを特徴とする箸。
【請求項２】
箸の先端を、箸の手元の部分に収納できるようにした箸。
【発明の詳細な説明】
【技術分野】
【０００１】  本発明は、先端がテーブルに触れずに置けて、携帯する時には箸入れにもなる箸に関するものであり、箸の素材や形状に工夫を加える事によって、箸をテーブルの上に置いたときに物をつかむ先端部分がテーブルに触れることなく置けるようにした、携帯する時などには、持ち手の部分が箸入れになる要にしたものである。
【背景技術】
【０００２】  従来から、箸として箸おきに置いたり、皿のふちに置いたり、そのままテーブルの上に直接置いたり、箸入れに入れて箸として利用されている。
【特許文献】  文献を知らない。
【非特許文献】  文献を知らない。
【発明の開示】
【発明が解決しようとする課題】
【０００３】  しかし、従来のような箸では、箸おき等が無い時は、先端を皿などのふちに掛けたり上に乗せたり直接テーブルに置いたりしていた。
又、箸入れが無い時などには、箸を使わない時や携帯する時等は非常に面倒であり不衛生である。
本発明は、このような箸が、箸おきなどを使わずにテーブルの上に直接おいたりしても、テーブルを汚したり、置きずらかったり、また箸を携帯する時に箸入れ等を必要とするという不便さや不都合を解決することを課題とする。
【課題を解決するための手段】
【０００４】  この課題を解決するための請求項１の発明は、箸の先端部を細くし中央部を太くしておき、てこの支点のようにして、持ち手部より先端部を細くしたり、軽くした部分を設けたことを特徴とする、もち手の部分だけがテーブルに触れるようにした箸である。
先端部分より、もち手部分の方が重いために常に先端部分が浮いているようにして箸の先端部分が直接テーブルに触れることを防止する。【０００５】  また、請求項２の発明は、箸の先端部分を細くして持ち手部分の中を空洞にして筒状にした、その中に先端部を収納出来るようにする事により、携帯する時にも箸入れ等を用意する必要がない。
【発明の効果】
【０００６】  本発明により、箸をテーブルに直接置いても、箸の先端がテーブルに触れることも無く、箸おきなどが無くても、テーブルに直接置けて、箸入れが無くても不都合簡単に携帯する事ができる。
【発明を実施するための最良の形態】
【０００７】  図１は、箸の先端を細く軽くして、中央部の太くした部分を、てこの支点のようにしたことを、特徴とする箸の平面図である。同図に示すように、箸の中央部を中心に持ち手部分が下がり、はしの先端がテーブルに触れることなく常に浮いているようにしたため、箸おきなどを使用しなくても箸の先端がテーブルに触れることを防止することができる。
図２は、箸の中央部分で箸が物をつかむ先端部と、手をそえる持ち手部分の２つに分離できるようにしたことを、特徴とする箸の平面図である。同図に示すように分離した箸の先端部分を、中を空洞にした筒状の、もち手部分の中に差し込み、収納できるようにした事により、箸入れ等がなくても持ち手部分が、先端部分を収納できる箸入れになるため、箸を使わない時にしまって置いたり、携帯する事が簡単に出来る。
又、箸の持ち手部分の中から先端部分を引き出して使用できる要にしたり、フックを付けてポケット等にはさめる要にしても良い。
【産業上の利用可能性】
【０００８】  本発明に係る箸は、消耗品であり工業的に量産する事が可能であるため、産業上の利用可能性を有する。
【図面の簡単な説明】
【０００９】
【図１】  先端部を細くし軽くして中央部を太くした、箸の平面図である。
【図２】  持ち手部を筒状にした中央で２つに分離する、箸の平面図である。
【符号の説明】
【０００１０】    １      箸の先端部
２      箸の中央部
３      箸の持ち手部
４      分離した箸の先端部
５      分離した箸の中央部
６      分離した箸の持ち手部
【図１】
2009213838.tif 000003
【図２】
2009213838.tif 000004
(57)【要約】【課題】  本発明は、しゃもじの柄にしゃもじ立て本体を差し込むことにより場所を取らずしゃもじを衛生的に縦置きにできるしゃもじ立てを提供するものである。【解決手段】  しゃもじ立て本体（１）に外周部（２）を設け、中央に差込み部（３）を設け、底部に足部（４）を設けたことを特徴としたしゃもじ立て。【選択図】図１
2009213834.tif 000002
【特許請求の範囲】
【請求項１】
しゃもじ立て本体（１）に外周部（２）を設け、中央に差込み部（３）を設け、底部に足部（４）を設けたことを特徴としたしゃもじ立て。
【発明の詳細な説明】
【技術分野】
【０００１】  本発明は、しゃもじ立て本体に外周部を設け、中央に差込み部を設け、底部に足部を設けたことを特徴としたしゃもじ立てで、しゃもじの柄の下部に重石となる器具を差し込むことにより場所を取らずバランス良くしゃもじを縦置きにできるしゃもじ立てに関するものである。
【背景技術】
【０００２】  従来は、炊飯器付属のホルダーを使うか、直接横向きにして置いてしまうなどヘラの部分が接触することによるスペース、また衛生面などに問題があった。
【特許文献１】  実用新案登録第３１０１０８２号公報
【発明の開示】
【発明が解決しようとする課題】
【０００３】  そのため、次のような問題点があった。
従来は、水を入れたお椀にしゃもじを浸ける。
もしくは、炊飯器内にしゃもじを入れたままにしてしまっていた。
それでは、不衛生であり、またはしゃもじを置くためのスペースが必要だった。
そこで、特殊な機能を備えたしゃもじを購入するのではなく、従来、家庭に何本かあるしゃもじを一つの器具にてヘラの部分を何処にも触れることなく、またスペースを取らず縦置きにすることが課題であった。
【課題を解決するための手段】
【０００４】  しゃもじ立て本体（１）に外周部（２）を設け、中央に差込み部（３）を設け、底部に足部（４）を設けたことを特徴としたしゃもじ立てである。
【発明の効果】
【０００５】  上記の課題を解決するためには、しゃもじに柄の底に器具を装着することにより、しゃもじの下部に重心を移し縦置きにすることを可能とした。
その結果、しゃもじを縦置きにして場所を選ばず置くことができるため、スペース、また衛生的にも解決することができた。
しゃもじ立て本体（１）の差込み部（３）にシリコン素材等の弾力性のあるゴムを使用することにより、しゃもじの柄の底の多種多様な形に対応することができ、普段使用しているしゃもじに装着することができるので、一つあれば万能であり、簡単に外し洗浄も可能である。
また、しゃもじにしゃもじ立て本体（１）を装着したままご飯を盛ることができるため、使用後は、しゃもじをそのまま何処に触れることもなく空いたスペースに縦置きにして置ける。スペースを必要としない衛生的なしゃもじ立てである。
【発明を実施するための最良の形態】
【０００６】  本発明を実施するための形態を説明する。
しゃもじ立て本体（１）に外周部（２）を設け、中央に差込み部（３）を設け、底部に足部（４）を設けたことを特徴としたしゃもじ立てである。
本発明を使用するときは、しゃもじ立て本体（３）にしゃもじ柄部（７）を差し込むことにより、
しゃもじ立て本体としゃもじが一体となり、ご飯を盛ることもでき、使用後は、そのまま立てて置くことができるため、置く場所を選ぶことがなく衛生的である。
付け外しが簡単なので、外して洗うことも可能であり。従来、家庭にあるどのしゃもじにも装着ができるため一つあれば万能である。
図１は、しゃもじにしゃもじ立て本体をセットするときの状態を示した斜視図である。
図２において、しゃもじに本発明をセットした状態を示した側面図である。
図３で、差し込まれた、しゃもじ立ては、しゃもじを安定して縦置きに置くことが可能である。
【図面の簡単な説明】
【０００７】
【図１】  しゃもじと本発明の斜視図である。
【図２】  本発明の使用時の側面図である。
【図３】  本発明の使用時の斜視図である。
【符号の説明】
【０００８】  １  しゃもじ立て本体
２  外周部
３  差込み部
４  足部
５  しゃもじ
６  しゃもじヘラ部
７  しゃもじ柄部
【図１】
2009213834.tif 000003
【図２】
2009213834.tif 000004
【図３】
2009213834.tif 000005
(57)【要約】【課題】掃除用シ−トの交換を簡単、確実に行なう室内掃除用シ−ト着脱式スリッパを提供する。【解決手段】スリッパ１の底部に、マジックテ−プ（登録商標）の雄側２を取付け、スリッパの底に合せた使い捨て掃除用シ−ト３を圧着した部材で構成される事を特徴とする。【選択図】図１
2009213839.tif 000002
【特許請求の範囲】
【請求項１】
室内用スリッパの底部にマジックテ−プ（登録商標）の雄側を取付け、掃除用シ−トを圧着して使用する室内掃除用スリッパ。
【発明の詳細な説明】
【技術分野】
【０００１】  本発明は、室内を歩くだけで床面等を掃除し  またよごれた掃除用シ−トの交換も容易した  スリッパに関するものです。
【背景技術】
【０００２】  従来は、掃除用シ−トの装着に両面テ−プを使用したものが有る。
（例えば  特許文献１、２参照）。【０００３】
【特許文献１】  特許公開番号  平９−２６２１０２
【特許文献２】  特許公開番号  平９−３２２８０１
【発明の開示】
【発明が解決しようとする課題】
【０００４】  従来の両面テ−プでは、接着力が弱いと掃除用シ−トの取付けが不安定になり、接着力が強いと掃除用シ−トの取外しが難しいという問題がある。【０００５】  本発明は、このような従来の問題を解決しようとするもので、スリッパと掃除用シ−トの取付けを簡便に行ない  使い捨ての両面テ−プを使用しない事で資源の無駄遣いを無くす事を目的とするものである。【０００６】  本発明は、室内用スリッパの底部にマジックテ−プ（登録商標）の雄側を取付け、掃除用シ−トを圧着して使用する事で上記課題を解決したものである。
【発明の効果】
【０００７】  本発明によれば、室内を歩くだけで床面等を掃除し  又スリッパ本体底面の摩耗、よごれも防止になり  尚  掃除用シ−トの取付け取外しが  簡単、確実に行なう事が出来る。
【実施例】
【０００８】  本発明の室内掃除用シ−ト着脱式スリッパは、図１に示されるようにスリッパ１の底部に、マジックテ−プ（登録商標）の雄側２を取付けスリッパの底に合せた使い捨て掃除用シート３を圧着した部材で構成されている。【０００９】  マジックテ−プ（登録商標）の雄側２と掃除用シ−ト３はその両者の特性により、軽く押しつけるだけで接着した状態となる。【００１０】  最下部の掃除用シ−ト３が汚れた時には、掃除用シ−ト３を手で引張るとマジックテ−プ（登録商標）の雄側２と、簡単に分離する。次に新らしい掃除用シ−ト３を圧着すると再び使用できる。
【図面の簡単な説明】
【００１１】
【図１】本発明における室内掃除用シ−ト着脱式スリッパの構成を示す外観図である。
【符号の説明】
【００１２】  １・・・室内用スリッパ
２・・・マジックテ−プ（登録商標）の雄側
３・・・掃除用シ−ト
【図１】
2009213839.tif 000003
(57)【要約】【課題】  本発明は、肩もみ機本体にズレ防止ストッパーを設け、本体のアームに指圧部と取手設けることにより、椅子やソファーに座った状態で人の手を借りず、自分自身で安易に指圧また肩もみができる肩もみ機を提供する。【解決手段】  肩もみ機本体（１）にアーム（４）を設け、アーム（４）の中央に指圧部（３）を設け、アーム（４）の一方に取手（２）を設け、アーム（４）のもう一方にズレ防止ストッパー（５）を設けたことを特徴とした肩もみ機。【選択図】図１
2009213835.tif 000002
【特許請求の範囲】
【請求項１】
肩もみ機本体（１）にアーム（４）を設け、アーム（４）の中央に指圧部（３）を設け、アーム（４）の一方に取手（２）を設け、アーム（４）のもう一方にズレ防止ストッパー（５）を設けたことを特徴とした肩もみ機。
【発明の詳細な説明】
【技術分野】
【０００１】  本発明は、肩もみ機本体にズレ防止ストッパーを設け、本体のアームに指圧部と取手設けることにより、椅子やソファーに座った状態で人の手を借りず、自分自身で安易に指圧また肩もみができる肩もみ機に関するものである。
【背景技術】
【０００２】  従来は、動力付きの機械を使用するか、人の手を借りて直接もんでもらう方法、また釣り針状の棒先を肩こりの部分に押し当てる器具を使用していた。
【特許文献１】特開平６−７０９５６
【発明の開示】
【発明が解決しようとする課題】
【０００３】  そのために、次のような問題点があった。
人の手を借りるには、他人の都合もあり頼まなければならない、また専門の施設に行くには、出向いたうえ費用もかかる。
動力付きの機械は、高価で大きいため場所も必要とした。
他人の手を煩わせずに椅子に座った状態で自分自身の肩もみができることが課題であった。
【課題を解決するための手段】
【０００４】  肩もみ機本体（１）にアーム（４）を設け、アーム（４）の中央に指圧部（３）を設け、アーム（４）の一方に取手（２）を設け、アーム（４）のもう一方にズレ防止ストッパー（５）を設けたことを特徴とした肩もみ機。
【発明の効果】
【０００５】  本発明は、小さく軽量なので持ち運びが楽であり、椅子のあるところなら場所を選ばず使用することができる。
そのため、普段、椅子やソファーなどに座りテレビなどを見ているリラックスした状態で、安易に指圧また肩もみができ、テコノ原理を使うためお年寄りや女性でも僅かな力で肩の血流を良くしこりを解消することができる。
他人の手を借りず自宅にて手を引く簡単な動作で指圧の強度を調整し手軽に自分の肩を揉むことが可能である事を目的としている。
肩もみ機本体（１）にズレ防止ストッパー（５）を設け、自分の背中に当て椅子の背もたれにもたることにより、自分の体重にてパットが固定し指圧の際肩もみ機がずれるのを防ぐ。
ズレ防止ストッパー（５）から伸びるアーム（４）の一端にコリを解す指圧部（３）を設ける。
肩に当る指圧部（３）を支点とし、アーム（４）の先端の取手（２）を握り上下に引くことにより指圧部（３）が支点となりテコ原理を用いて自分の力で肩を指圧また、左右振ることによりもむ効果となり、椅子やソファーに座った状態で僅かな力で肩こりを解消する。
【発明を実施するための最良の形態】
【０００６】  本発明を実施するための形態を説明する。
本発明を使用するときは、まず椅子と背もたれの間にズレ防止ストッパー（５）を挟み自分の背中の体重にてズレ防止ストッパー（５）を固定する。
指圧部（３）をこりの部分に当て取手（２）を握り好みの力で下に引くことにより、テコを用いて指圧部（３）を支点とし僅かな力で効果的に指圧、肩もみが可能となる。
他人の手を煩わすことなく、椅子やソファーのある所なら場所を選ばずに座った状態で、自分の好みの強さで肩のこった部分を指圧することができる。
電気等に動力を使わない、軽くて低コストの肩もみ機を提供する。
図１は、本発明の斜視図である。
図２は、ソファーに座り本体の使用状態を示した側面図である。
【図面の簡単な説明】
【０００７】
【図１】  本発明の斜視図である。
【図２】  本発明の使用状態を示す側面図である。
【符号の説明】
【０００８】  １  肩もみ機本体
２  取手
３  指圧部
４  アーム
５  ズレ防止ストッパー
【図１】
2009213835.tif 000003
【図２】
2009213835.tif 000004